(57)【特許請求の範囲】
【請求項１】
所定の識別コードを用紙の所定の位置に印字するためのコマンドが含まれた印字データに基づき用紙に識別コードを印字する印字装置であって、
複数の発熱体からなり、前記識別コードを前記用紙に印字する印字手段と、
前記印字手段を構成する各発熱体の断線の有無、および断線した発熱体の位置を検出する検出手段と、
前記検出手段によって前記発熱体の少なくとも１つに断線が検出され、前記断線した発熱体の位置と用紙に印字される識別コードの位置が重なるか否かを判定する位置判定手段と、
前記位置判定手段により重なると判定された前記識別コードが二次元コードであるか否かを判定するコード判定手段と、
前記コード判定手段により判定された二次元コードが読み取り可能か否かを判定する読取判定手段と、
前記コード判定手段により二次元コードでないとの判定結果または前記読取判定手段により読み取り不可能との判定結果に応じて、前記識別コードまたは二次元コードの印字位置を前記断線した発熱体の位置の外に移動させることが可能か否かを判定する移動判定手段と、
前記読取判定手段により読み取り可能との判定結果に応じて前記印字手段により印字を行い、前記移動判定手段により移動可能との判定結果に応じて前記識別コードまたは二次元コードの印字位置を移動させ、移動不可能との判定結果に応じて印字を停止させるように制御する制御手段を備えることを特徴とする印字装置。
【請求項２】
所定のホストコンピュータに複数の印字装置が接続され、各印字装置が所定の識別コードを用紙の所定の位置に印字するためのコマンドが含まれた印字データに基づき所定の用紙に識別コードを印字する印字システムであって、
各印字装置は、複数の発熱体からなり、前記識別コードを前記用紙に印字する印字手段と、
前記印字手段を構成する各発熱体の断線の有無、および断線した発熱体の位置を検出する検出手段と、
前記検出手段による検出結果を前記ホストコンピュータに送信する送信手段とを備え、
前記ホストコンピュータは、前記送信手段によって送信された前記検出手段による検出結果を受信する受信手段と、
前記受信手段によって受信された前記検出結果に基づいて、前記発熱体の少なくとも１つに断線が検出され、前記断線した発熱体の位置と用紙に印字される識別コードの位置が重なる
か否かを判定する位置判定手段と、
前記位置判定手段により重なると判定された前記識別コードが二次元コードであるか否かを判定するコード判定手段と、
前記コード判定手段により判定された二次元コードが読み取り可能か否かを判定する読取判定手段と、
前記コード判定手段により二次元コードでないとの判定結果または前記読取判定手段により読み取り不可能との判定結果に応じて、前記識別コードまたは二次元コードの印字位置を前記断線した発熱体の位置の外に移動させることが可能か否かを判定する移動判定手段と、
前記読取判定手段により読み取り可能との判定結果に応じて前記印字手段により印字を行い、前記移動判定手段により移動可能との判定結果に応じて前記識別コードまたは二次元コードの印字位置を移動させて印字を行い、移動不可能との判定結果に応じて他の前記印字装置による振り替え印字を行うように制御する制御手段とを備えることを特徴とする印字システム。
【発明の詳細な説明】
【０００１】
【発明の属する技術分野】
本発明は、印字装置および印字システムに関し、特に、ヘッド切れの発生を検出するヘッドチェック機能を有する印字装置および印字システムに関する。
【０００２】
【従来の技術】
従来の印字装置としてのラベルプリンタには、サーマルヘッドを構成する各発熱体の断線の有無をチェックするヘッドチェック機能を有するものがある。このようなラベルプリンタにおいては、ヘッドチェック機能をオンにして印字動作を行わせると、ヘッド切れ（所定の発熱体の断線）の発生が検出されたとき、印字動作を停止させる。そして、ラベルプリンタに接続されているホストコンピュータ等にヘッド切れが検出されたことを通知する。
【０００３】
【発明が解決しようとする課題】
このように、従来のラベルプリンタにおいては、ヘッド切れが検出されても、ホストコンピュータに通知される情報は、ヘッド切れが発生したことのみであるため、ユーザは、印字結果から、サーマルヘッドのどの発熱体が断線し、印字にどう影響しているのかを確認しなければならなかった。また、印字を再開させる場合、サーマルヘッドの交換が必要であるが、新しいサーマルヘッドに交換するまでの間、現場判断により、ラベルプリンタのヘッドチェック機能をオフにして印字を再開させると、第２、第３のヘッド切れ等を検出できないため、印字不良のラベルを発行してしまう可能性があるという問題点があった。
【０００４】
本発明はこのような状況に鑑みてなされたものであり、ヘッド切れが発生したとき、ヘッド切れを起こした発熱体の位置と印字レイアウトに基づいて、印字停止すべきか否かを柔軟に判断し、できるだけ印字停止を回避することができるようにするものである。
【０００５】
【課題を解決するための手段】
本発明の印字装置は、所定の識別コードを用紙の所定の位置に印字するためのコマンドが含まれた印字データに基づき用紙に識別コードを印字する印字装置であって、複数の発熱体からなり、前記識別コードを前記用紙に印字する印字手段と、
前記印字手段を構成する各発熱体の断線の有無、および断線した発熱体の位置を検出する検出手段と、前記検出手段によって前記発熱体の少なくとも１つに断線が検出され、前記断線した発熱体の位置と用紙に印字される識別コードの位置が重なるか否かを判定する位置判定手段と、前記位置判定手段により重なると判定された前記識別コードが二次元コードであるか否かを判定するコード判定手段と、前記コード判定手段により判定された二次元コードが読み取り可能か否かを判定する読取判定手段と、前記コード判定手段により二次元コードでないとの判定結果または前記読取判定手段により読み取り不可能との判定結果に応じて、前記識別コードまたは二次元コードの印字位置を前記断線した発熱体の位置の外に移動させることが可能か否かを判定する移動判定手段と、前記読取判定手段により読み取り可能との判定結果に応じて前記印字手段により印字を行い、前記移動判定手段により移動可能との判定結果に応じて前記識別コードまたは二次元コードの印字位置を移動させ、移動不可能との判定結果に応じて印字を停止させるように制御する制御手段を備えることを特徴とする。
また、本発明の印字システムは、所定のホストコンピュータに複数の印字装置が接続され、各印字装置が所定の識別コードを用紙の所定の位置に印字するためのコマンドが含まれた印字データに基づき所定の用紙に識別コードを印字する印字システムであって、各印字装置は、複数の発熱体からなり、前記識別コードを前記用紙に印字する印字手段と、前記印字手段を構成する各発熱体の断線の有無、および断線した発熱体の位置を検出する検出手段と、前記検出手段による検出結果を前記ホストコンピュータに送信する送信手段とを備え、前記ホストコンピュータは、前記送信手段によって送信された前記検出手段による検出結果を受信する受信手段と、前記受信手段によって受信された前記検出結果に基づいて、前記発熱体の少なくとも１つに断線が検出され、前記断線した発熱体の位置と用紙に印字される識別コードの位置が重なるか否かを判定する位置判定手段と、前記位置判定手段により重なると判定された前記識別コードが二次元コードであるか否かを判定するコード判定手段と、前記コード判定手段により判定された二次元コードが読み取り可能か否かを判定する読取判定手段と、
前記コード判定手段により二次元コードでないとの判定結果または前記読取判定手段により読み取り不可能との判定結果に応じて、前記識別コードまたは二次元コードの印字位置を前記断線した発熱体の位置の外に移動させることが可能か否かを判定する移動判定手段と、前記読取判定手段により読み取り可能との判定結果に応じて前記印字手段により印字を行い、前記移動判定手段により移動可能との判定結果に応じて前記識別コードまたは二次元コードの印字位置を移動させて印字を行い、移動不可能との判定結果に応じて他の前記印字装置による振り替え印字を行うように制御する制御手段とを備えることを特徴とする。
【０００６】
【発明の実施の形態】
図１は、本発明が適用されるラベルプリンタの一実施の形態の構成例を示している。同図に示すように、ラベルプリンタ１００は、各部を制御する制御部１０と、用紙１に印字を行うサーマルヘッド（以下では、適宜単にヘッドと記載する）５と、制御部１０の制御により駆動されるステッピングモータ７と、タイミングベルト（以下では、適宜単にベルトと記載する）８を介して伝達されるステッピングモータ７の回転駆動力によって回転し、後述する供給軸２にセットされた用紙１を搬送するとともに、用紙１をサーマルヘッド５に押圧するプラテンローラ（以下では、適宜単にプラテンと記載する）６と、用紙１を回転自在に支持する供給軸２と、用紙１をサーマルヘッド５に案内する案内ローラ３と、所定の光を出射する発光部と、発光部から出射された光の用紙１からの反射光を受光し、受光した光の強度（単位時間当たりの受光量）に対応する電気信号を出力する受光部とからなり、用紙１の裏面の側に発光部と受光部を配し、用紙１の裏面に印刷等によって形成されたアイマーク（黒の矩形のマーク）を、受光部の受光量に基づいて検出するセンサ９とを備えている。
【０００７】
図２は、図１の実施の形態の電気的な構成例を示すブロック図である。同図に示すように、制御部１０は、所定の制御プログラムを記憶するＲＯＭ（ｒｅａｄｏｎｌｙ  ｍｅｍｏｒｙ）１２と、ＲＯＭ１２に記憶されている制御プログラムに従って動作し、各部を制御するＣＰＵ（ｃｅｎｔｒａｌ  ｐｒｏｃｅｓｓｉｎｇ  ｕｎｉｔ）１１と、ＣＰＵ１１が動作する上で必要となる各種データを記憶するＲＡＭ（ｒａｎｄｏｍ  ａｃｃｅｓｓ  ｍｅｍｏｒｙ）１３と、電源がオフされても保持しておきたい各種データを記憶するＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）２１と、ステッピングモータ７にパルス信号を供給し、ステッピングモータ７を回転させるモータ制御部１４と、ＣＰＵ１１から供給される印字すべき文字、図形、およびバーコードなどの印字データに対応する制御信号を生成し、サーマルヘッド５に供給し、印字動作を行わせるとともに、サーマルヘッド５を構成する各発熱体の断線の有無をチェックし、その結果（断線の有無、および断線がある場合はその断線の箇所）を断線情報としてＣＰＵ１１に供給するヘッド制御部１５と、ＣＰＵ１１の制御下、センサ９の発光部を制御し、光を出射させるとともに、受光部から出力される電気信号を受け取り、ディジタルのデータに変換してピッチ検出データとしてＣＰＵ１１に供給するセンサ制御部１６と、外部インタフェース１７と、インタフェース２０とを備えている。また、制御部１０には、各種データやコマンドを入力するための入力部１８と、入力部１８から入力された入力データや、各種情報を表示するための表示部１９とがインタフェース２０を介して接続されている。入力部１８より入力された入力データは、インタフェース２０を介してＣＰＵ１１に供給され、表示部１９に表示される各種情報に対応する表示データは、インタフェース２０を介してＣＰＵ１１より供給されるようになっている。また、外部インタフェース１７を介して、外部に接続されたパーソナルコンピュータ（ＰＣ）２００等の各種機器との間で各種データやコマンドの送受信を行うことができるようになっている。
【０００８】
次に、図３のフローチャートを参照して、本実施の形態の動作について説明する。まず最初に、ステップＳ１において、ラベルプリンタ１００のＣＰＵ１１は、外部インタフェース１７を介して接続されているＰＣ２００から供給される印字データを受信する。そして、受信した印字データをＲＡＭ１３に供給し、記憶させる。
【０００９】
次に、ステップＳ２において、ＣＰＵ１１は、ヘッド制御部１５に対して、サーマルヘッド５を構成する各発熱体の断線の有無のチェック（以下ではヘッドチェックと記載する）を行うよう指令する。この指令を受けたヘッド制御部１５は、サーマルヘッド５を構成する各発熱体の断線の有無を順にチェックする。発熱体の断線の有無のチェックは、特開２００１−３８９４３号公報の従来技術の欄に記載されているように、各発熱体に並列に検出抵抗を設け、その一方の端部に接続されたチェック端子の電圧を測定することによって行う。発熱体に微少な電流を流したとき、発熱体に断線がない場合、通電電流のほとんどが発熱体を流れるため、チェック端子の電圧値は低い値となる。一方、発熱体に断線がある場合、通電電流のほとんどが検出抵抗を流れるため、チェック端子の電圧値は高い値となる。このように、発熱体を１個ずつ通電状態とし、チェック端子を介して電圧チェックを行うことにより、発熱体の断線の有無をチェックすることができる。
【００１０】
ステップＳ３においては、ヘッド制御部１５は、ヘッドチェックの結果、断線のあることが検出された場合、断線があることを示す情報と、断線した発熱体のアドレス情報とからなる検出結果を断線情報としてＣＰＵ１１に供給する。例えば、ある発熱体が断線していること（ヘッド切れを発生したこと）が検出された場合、発熱体が断線したを示す情報と、断線した発熱体のアドレス情報（断線位置情報）（例えば、一列に並んだ発熱体の一方の端部から順に数えて、断線した発熱体が何番目の発熱体であるかを示す情報）を、断線情報としてＣＰＵ１１に供給し、ステップＳ４に進む。一方、断線のないことが検出された場合、断線がないことを示す情報からなる検出結果を断線情報としてＣＰＵ１１に供給し、ステップＳ９に進む。
【００１１】
ステップＳ３において、断線のあることが検出された場合、ステップＳ４に進み、ＣＰＵ１１により、ヘッド制御部１５から供給された断線情報に基づいて、断線が発生したこと（断線エラーの発生）が認識される。次に、ステップＳ５において、ＣＰＵ１１は、ヘッド制御部１５より供給された断線情報に含まれる、断線が発生した発熱体のアドレス情報（断線位置情報）を外部インタフェース１７を介してホストコンピュータ２００に送信する。
【００１２】
ステップＳ６においては、ホストコンピュータ２００は、印字データに含まれる印字レイアウト情報に基づいて、バーコード等の識別コードが印字される位置（識別コードが印字される用紙１上の領域）と、断線位置とが重なるか否かが判定される。印字データは、印字すべき文字列、識別コード、図形等を指定する情報と、これらのデータを用紙１に印字するときの印字レイアウトを指定する情報等を指定するコマンドにより構成されている。従って、印字レイアウト情報に基づいて、識別コードが用紙１のどの領域に印字されるのかが分かり、その領域に対応する発熱体に断線した発熱体が含まれるか否かを判定することにより、識別コードが印字される位置と断線位置とが重なるか否かを判定することができる。
【００１３】
その結果、識別コードが印字される位置と断線位置とが重ならないと判定された場合、ステップＳ９に進む。一方、識別コードが印字される位置と断線位置とが重なると判定された場合、ステップＳ７に進む。
【００１４】
ステップＳ７においては、ホストコンピュータ２００により、識別コードが二次元コードであるか否かが判定される。その結果、二次元コードであると判定された場合、ステップＳ８に進む。一方、二次元コードではないと判定された場合、ステップＳ１０に進む。
【００１５】
ステップＳ８においては、二次元コードが、発熱体の断線によりその断線した発熱体の部分に対応するドットが印字されていないにも拘わらず、二次元コードの情報が読み取り可能であるか否かが判定される。この判定は、例えば、断線した発熱体の数が所定の基準数以上であるか否かに基づいて行うようにすることができる。その結果、二次元コードの情報が読み取り可能であると判定された場合、ステップＳ９に進み、二次元コードの情報が読み取り可能ではないと判定された場合、ステップＳ１０に進む。
【００１６】
ステップＳ１０においては、印字レイアウトの変更が可能であるか否かが判定される。例えば、印字レイアウトを変更して、バーコードや二次元コードが印字される領域を、断線位置の外に移動することが可能であるか否かが判定される。その結果、印字レイアウトを変更して、バーコードや二次元コードが印字される領域を、断線位置の外に移動することが可能であると判定された場合、ステップＳ１２に進む。ステップＳ１２において、ホストコンピュータ２００は、印字レイアウトを変更することにより、バーコードや二次元コードが印字される領域を、断線位置の外に移動させる。その後、ステップＳ６に戻り、ステップＳ６以降の処理が繰り返し実行される。
【００１７】
一方、ステップＳ１０において、印字レイアウトの変更により、バーコードや二次元コードが印字される領域を、断線位置の外に移動することが不可能であると判定された場合、ステップＳ１１に進む。ステップＳ１１においては、図示せぬ他のラベルプリンタが、ホストコンピュータ２００にＬＡＮ（ｌｏｃａｌ  ａｒｅａ  ｎｅｔｗｏｒｋ）等を介して接続され、各ラベルプリンタからヘッドチェックの結果を取得し、印字データを正常に印字することが可能な他のラベルプリンタの代替使用が可能であるか否かが判定される。その結果、他のラベルプリンタの代替使用が可能であると判定された場合、ステップＳ１に戻り、ホストコンピュータ２００は、他のラベルプリンタに印字データを供給し、他のラベルプリンタに対してステップＳ１以降の処理を行わせ、印字発行処理を振り替え実行させる。
【００１８】
一方、ステップＳ１１において、他のラベルプリンタが使用可能ではないと判定された場合、ステップＳ１３に進み、ホストコンピュータ２００の図示せぬディスプレイに、ラベルプリンタ１００のサーマルヘッドを交換すべきであることを示すヘッド交換エラーメッセージを表示する。その後、処理を終了する。
【００１９】
また、ステップＳ３において、断線のないことが検出された場合、または、ステップＳ６において、識別コードの印字領域と断線位置とが重ならないと判定された場合、または、ステップＳ８において、二次元コードの読み取りが可能であると判定された場合、ステップＳ９に進み、そのまま印字発行処理を継続する。その後、ステップＳ１に戻り、ステップＳ１以降の処理が繰り返し実行される。
【００２０】
以上説明したように、サーマルヘッド５においてヘッド切れが発生した場合、ラベルプリンタ１００のＣＰＵ１１は、断線した発熱体の位置を示す情報を含む断線情報をホストコンピュータ２００に外部インタフェース１７を介して送信するので、ホストコンピュータ２００は、ヘッド切れが印字結果に及ぼす影響を判断することができる。そして、印字処理の停止はもとより、印字処理の継続、ヘッド切れが印字結果に影響を及ぼさないような印字レイアウトへの変更などを行うことができる。
【００２１】
また、一台のホストコンピュータ２００に複数のラベルプリンタがＬＡＮ等を介して接続され、ホストコンピュータ２００が複数のラベルプリンタを制御する場合、ヘッド切れが発生したラベルプリンタへは、そのラベルプリンタのサーマルヘッドの断線位置では問題が生じない他の印字データを供給し、印字発行処理を実行させ、ヘッド切れを起こしていない他の所定のラベルプリンタへは、ヘッド切れを起こして印字ができなくなった印字データを供給し、印字発行処理を振り替え実行させる。
【００２２】
また、バーコードでは、ヘッド切れが１ドットでもあると読み取りができなくなるが、二次元コードでは、誤り訂正機能等により、１または数ドットのドット抜けがあった場合でも読み取りが可能な場合があり、その場合には、印字発行処理を継続させるようにすることができる。
【００２３】
二次元コードには、ＰＤＦ４１７、ＶｅｒｉＣｏｄｅ、ＤａｔａＭａｔｒｉｘ（ＥＣＣ２００）、ＭａｘｉＣｏｄｅ、ＱＲ  Ｃｏｄｅ、ＡｚｔｅｃＣｏｄｅ等の種類があり、ＤａｔａＭａｔｒｉｘ、ＭａｘｉＣｏｄｅ、ＱＲ  Ｃｏｄｅ、ＡｚｔｅｃＣｏｄｅには、切り出しマークと呼ばれる、シンボルの種類（二次元コードの種類）を識別するためのマークがある。一般的にコードリーダは、この切り出しマークを見つけてシンボルの種類を認識し、シンボルの種類に応じて読み取りを行うようにしている。従って、切り出しマークがドット抜け等により読み取れない場合、二次元コードの読み取りができない場合がある。従って、サーマルヘッド５の断線位置が、二次元コードの切り出しマークが印字される位置と重なる場合には、印字処理を停止させたり、印字レイアウトを変更したり、他のラベルプリンタに振り替えて印字するようにすることができる。
【００２４】
また、ＰＤＦ４１７の場合、スタートコードとストップコードの両方が無くなったとき、シンボルの認識ができず読み取りができなくなる。スタートコードおよびストップコードのどちらか一方が残っている場合、読み取り可能である。従って、サーマルヘッド５の断線位置が、識別コードのスタートコードおよびストップコードの印字位置に対応する場合、印字処理を停止させたり、印字レイアウトを変更したり、他のラベルプリンタに振り替えて印字するようにすることができる。
【００２５】
図４は、ＰＣ２００にラベルプリンタ１００，１０１，１０２がＬＡＮ３００を介して接続されている例を示している。いま、ラベルプリンタ１００に断線エラーが検出され、印字データを正常に印字することができなくなったとする。その場合、断線エラーがなく正常に動作しているラベルプリンタ１０１に印字データを供給して振り替え印字を行わせる。また、ラベルプリンタ１０２において印字中の印字データが、ラベルプリンタ１００において印字させても識別コードの読み取りが可能な印字データである場合、ラベルプリンタ１０２において印字していた印字データをラベルプリンタ１００に供給して印字処理を行わせ、ラベルプリンタ１０２には新たに別の印字データを供給して印字処理を実行させることができる。このように、各ラベルプリンタ１００，１０１，１０２を効率的に稼働させることが可能である。
【００２６】
このように、断線位置や印字する識別コードの種類に基づいて、印字停止、印字継続、印字レイアウト変更を柔軟に選択して実行することができるので、印字処理を行う現場において、ラベルプリンタの不要な停止を回避して稼働時間を延ばすことができ、作業効率を向上させることができる。
【００２７】
なお、上記実施の形態においては、ホストコンピュータ２００が印字停止、印字継続、印字レイアウトの変更の要否の判断等の処理を実行するようにしたが、ラベルプリンタ１００のＣＰＵ１１がこれらの処理を実行するようにすることも可能である。例えば、図３のフローチャートに示した処理をＣＰＵ１１が実行するようにすることも可能である。その場合、ステップＳ１３におけるヘッド交換エラーメッセージの表示は、表示部１９において行われる。
【００２８】
また、上記実施の形態においては、バーコードや二次元コードの印字位置と、断線した発熱体の位置とが重なる場合にエラーとし、印字停止やレイアウト変更を行うようにしたが、文字の印字位置と断線した発熱体の位置とが重なる場合においてもエラーとすることができる。また、二次元コードの印字位置と断線した発熱体の位置とが重なる場合において、二次元コードの読み取りが可能であっても、エラーとすることができる。
【００２９】
また、上記実施の形態においては、本発明をラベルプリンタに適用する場合について説明したが、これに限定されるものではなく、他の印刷装置にも本発明を適用することができる。
【００３０】
また、上記実施の形態の構成および動作は例であって、本発明の趣旨を逸脱しない範囲で適宜変更することができることは言うまでもない。
【００３１】
【発明の効果】
以上の如く、本発明に係る印字装置および印字システムによれば、複数の発熱体からなる印字手段が、印字データを用紙に印字し、検出手段が、印字手段を構成する各発熱体の断線の有無、および断線した発熱体の位置を検出し、判断手段が、検出手段によって発熱体の少なくとも１つに断線が検出されたとき、検出手段による検出結果と、印字データとに基づいて、断線した発熱体が印字手段による印字結果に与える影響を判断し、制御手段が、判断手段による判断の結果に応じて、印字データの用紙への印字処理の停止または継続、或いは、印字レイアウトの変更を行うように制御するようにしたので、ヘッドチェックの結果、発熱体の断線が検出された場合でも、印字処理の停止頻度を最小限に抑え、作業効率を向上させることができる。
また、各印字装置においては、複数の発熱体からなる印字手段が、印字データを用紙に印字し、検出手段が、印字手段を構成する各発熱体の断線の有無、および断線した発熱体の位置を検出し、送信手段が、検出手段による検出結果をホストコンピュータに送信し、ホストコンピュータにおいては、受信手段が、送信手段によって送信された検出手段による検出結果を受信し、判断手段が、受信手段によって受信された検出結果に基づいて、発熱体の少なくとも１つに断線が検出されたとき、検出結果と、印字データとに基づいて、断線した発熱体が印字手段による印字結果に与える影響を判断し、制御手段が、判断手段による判断の結果に応じて、印字装置の印字手段による印字データの用紙への印字処理の停止または継続、或いは、印字レイアウトの変更、または、他の印字装置による振り替え印字を行うように制御するようにしたので、ヘッドチェックの結果、発熱体の断線が検出された場合でも、他の印字装置を用いて振り替え印字することができ、印字処理の停止頻度を最小限に抑え、作業効率を向上させることができる。
【図面の簡単な説明】
【図１】本発明の印字装置を応用したラベルプリンタの一実施の形態の構成例を示す図である。
【図２】図１の制御部の構成例を示すブロック図である。
【図３】図１および図２に示した実施の形態の動作手順を説明するためのフローチャートである。
【図４】ＰＣに複数のラベルプリンタが接続された様子を示す図である。
【符号の説明】
１  用紙
２  供給軸
３  案内ローラ
５  サーマルヘッド
６  プラテンローラ
７  ステッピングモータ
８  ベルト
９  センサ
１０  制御部
１１  ＣＰＵ
１２  ＲＯＭ
１３  ＲＡＭ
１４  モータ制御部
１５  ヘッド制御部
１６  センサ制御部
１７  外部インタフェース
１８  入力部
１９  表示部
２０  インタフェース
２１  ＥＥＰＲＯＭ
１００  ラベルプリンタ
２００  パーソナルコンピュータ（ＰＣ）
【図１】
0004142897.tif 000002
【図２】
0004142897.tif 000003
【図３】
0004142897.tif 000004
【図４】
0004142897.tif 000005